(57)【要約】  【課題】ＳＳの回収率が低下することなく、圧縮域の脱水効率を向上できる圧搾脱水機。  【解決手段】ドラムスクリーン２の軸心に、外周にスクリュー羽根３１を設けたスクリュー軸体３が回転自在に配設され、このスクリュー軸体３は、入口４１側から反対側の出口４２側に向けて拡径状のテーパ形状に形成され、このスクリュー羽根３１によって凝集汚泥などを入口側から出口側に向けて移動させながら脱水するようにしたスクリュープレス脱水機であって、前記ドラムスクリーン２の外側に沿って設けたろ過水室を軸心に直角に区画した隔壁５１によって複数の小ろ過水室５２、５３を形成し、そして少なくとも出口側の小ろ過水室５３に減圧吸引手段６を配設したものである。  【選択図】  図１
2005095973.tif 000002
【特許請求の範囲】
【請求項１】
含水処理物を入口側から出口側に向かう流動路を移動させながらろ過域から圧搾域の順に脱水するようにした圧搾脱水機であって、少なくとも圧搾域のろ過水側を大気圧以下に減圧制御可能としたことを特徴とする圧搾脱水機。
【請求項２】
前記圧搾脱水機が、ドラムスクリーンの軸心に配設したスクリュー羽根によって含水処理物を入口側から出口側に向けて移動させながらろ過域から圧搾域の順に脱水するようにしたスクリュープレス脱水機であって、そのドラムスクリーンの圧縮域のろ過水側を減圧可能としたことを特徴とする請求項１に記載の圧搾脱水機。
【請求項３】
前記クリュープレス脱水機であって、前記ドラムスクリーンの外側に沿って設けたろ過水室を軸心に直角に区画して複数の小ろ過水室を形成し、少なくとも出口側の小ろ過水室に減圧吸引手段を接続した請求項２に記載の圧搾脱水機。
【請求項４】
前記ドラムスクリーン内に水分センサと圧力センサを配置するとともに、前記小ろ過水室に圧力センサを配置した請求項３に記載の圧搾脱水機。
【請求項５】
前記圧搾脱水機が、回転するスクリーンディスクで挟まれて形成される渦巻き状ろ過室の入口側から出口側に向けて、含水処理物を移動させながらろ過域から圧搾域の順に脱水するようにしたロータリプレス脱水機であって、そのスクリーンディスクの圧縮域のろ過水側を減圧可能としたことを特徴とする請求項１に記載の圧搾脱水機。
【請求項６】
外側スペーサで囲まれた空間に、渦巻き状に形成した内側スペーサを位置させ、その外側スペーサと内側スペーサとで囲まれた渦巻き状空間を両側から挟んだ状態で、スクリーンディスクを密接させて回転自在に配設して、渦巻き状ろ過室を形成して、この渦巻き状ろ過室の中心部分に含水処理物を圧送するとともに、このスクリーンディスクを回転させて、含有水をスクリーンディスクを通じてろ過水として排水し、前記ろ過室の末端部分から脱水汚泥を排出可能としたことを特徴とするロータリプレス脱水機であって、前記ドラムスクリーンの外側面にその外周に沿って略円形の小ろ過水室を形成し、この小ろ過水室に減圧吸引手段を接続した請求項５に記載の圧搾脱水機。
【請求項７】
前記渦巻き状ろ過室内に水分センサと圧力センサを配置するとともに、前記小ろ過水室に圧力センサを配置した請求項６に記載の圧搾脱水機。
【請求項８】
前記スクリーンディスクにはバックアップディスクを添設し、このバックアップディスクの外周部分に回転駆動手段を設けて、スクリーンディスクとバックアップディスクを一体に回転可能とするとともに、前記小ろ過水室をバックアップディスクの外側に形成した請求項７に記載の圧搾脱水機。
【発明の詳細な説明】
【技術分野】
【０００１】
本発明は、スクリュープレス脱水機およびロータリプレス脱水機など圧搾脱水機の脱水効率を向上させた改良された構造に関するものである。
【背景技術】
【０００２】
従来、図２に例示するような含水処理物、例えば凝集汚泥などを脱水してケーキを得るためのスクリュープレス脱水機が実用化されている。この脱水機は、無数のろ過孔を有するドラムスクリーン１１の軸心に、外周にはスクリュー羽根１３を設けたスクリュー軸体１２が回転自在に配設されている。このスクリュー軸体１２は、入口１４側から出口１５側に向けて拡径状のテーパ形状に形成され、その外周面にはスクリュー軸体１２の回転に従い、凝集汚泥などを入口部側から出口部側に向けて移動可能としたスクリュー羽根１３が設けられている。
【０００３】
入口１４から送入された凝集汚泥が、出口１５側に向けてスクリュー羽根１３によって移動されられる場合、スクリュー軸体１２の拡径テーパ形状やスクリュー羽根１３のピッチによって、凝集汚泥は徐々に押し縮められる。この結果、凝集汚泥の含有水はドラムスクリーン１１のろ過孔を通じて搾り出され、ろ過水室１６に集められ排水口１６ａから取り出される。一方、含有水を搾り取られた凝集汚泥は、脱水ケーキとして出口１５から順次排出されることになる。（特許文献１を参照のこと）
【０００４】
この脱水機構は、初期のろ過域と後期に圧搾域とに分けることができる。すなわち、入口側の初期のろ過域では凝集汚泥中の水分が主に自重によってドラムスクリーン１１のろ過孔を通過して脱水される領域であって、スクリュー羽根１３などの圧搾効果が生じていない領域である。また、出口側の後期の圧搾域では、前記したようなスクリュー羽根１３などの圧搾効果によって含有水を文字通り搾り出される領域である。そして、この脱水機ではこのろ過域と圧搾域とは、その両方の作用が働く中間的領域を挟んで連続している。
【０００５】
そこで、このような脱水機では、好ましいろ過効率が得られるよう、スクリュー軸体１２の拡径テーパ形状やスクリュー羽根１３のピッチを設計する。そして圧搾域の圧搾圧力を高める程、ろ過効率が高まり、脱水ケーキの含水率をより低下させたり、あるいは処理量を増大できるのが通例である。ところが、このように圧搾域の圧搾圧力を高めようとすると、その圧力はろ過域にまで伝達されるので、凝集汚泥中のＳＳのろ過水側への流出が増大してしまい、ＳＳの回収率が低下するという問題があった。また、圧搾脱水機の１形態として、特許文献２に記載の原理を用いたロータリプレス脱水機も実用化されているが、この脱水機においても同様な問題があった。（特許文献２を参照のこと）
【特許文献１】特開２００３−６２６９４号公報：段落（０００２）、図２
【特許文献２】特開昭５９−３３０９９号公報：特許請求の範囲、図４、および図４に基づく説明（第１０、１１、１２欄）
【発明の開示】
【発明が解決しようとする課題】
【０００６】
本発明は、上記の問題点を解決するためになされたものであり、ＳＳの回収率が低下することなく、圧縮域の脱水効率を向上できるスクリュープレスタイプおよびロータリプレスタイプの圧搾脱水機を提供する。
【課題を解決するための手段】
【０００７】
上記の問題は、含水処理物を入口側から出口側に向かう流動路を移動させながらろ過域から圧搾域の順に脱水するようにした圧搾脱水機であって、少なくとも圧搾域のろ過水側を大気圧以下に減圧制御可能としたことを特徴とする本発明の圧搾脱水機によって解決される。
【０００８】
また、本発明は次の第１発明として具体化される。すなわち、前記圧搾脱水機が、ドラムスクリーンの軸心に配設したスクリュー羽根によって含水処理物を入口側から出口側に向けて移動させながらろ過域から圧搾域の順に脱水するようにしたスクリュープレス脱水機であって、そのドラムスクリーンの圧縮域のろ過水側を減圧可能としたことを特徴とする前記の圧搾脱水機である。
【０００９】
また、第１発明は、前記クリュープレス脱水機であって、前記ドラムスクリーンの外側に沿って設けたろ過水室を軸心に直角に区画して複数の小ろ過水室を形成し、少なくとも出口側の小ろ過水室に減圧吸引手段を接続した形態に具体化でき、また前記ドラムスクリーン内に水分センサと圧力センサを配置するとともに、前記小ろ過水室に圧力センサを配置した形態に好ましく具体化できる。
【００１０】
さらに、本発明は、次の第２発明の形態に具体化することもできる。すなわち、前記圧搾脱水機が、回転するスクリーンディスクで挟まれて形成される渦巻き状ろ過室の入口側から出口側に向けて、含水処理物を移動させながらろ過域から圧搾域の順に脱水するようにしたロータリプレス脱水機であって、そのスクリーンディスクの圧縮域のろ過水側を減圧可能としたことを特徴とする形態の前記圧搾脱水機である。
【００１１】
また、この第２発明は、さらに次の形態に具体化される。すなわち、外側スペーサで囲まれた空間に、渦巻き状に形成した内側スペーサを位置させ、その外側スペーサと内側スペーサとで囲まれた渦巻き状空間を両側から挟んだ状態で、スクリーンディスクを密接させて回転自在に配設して、渦巻き状ろ過室を形成して、この渦巻き状ろ過室の中心部分に含水処理物を圧送するとともに、このスクリーンディスクを回転させて、含有水をスクリーンディスクを通じてろ過水として排水し、前記ろ過室の末端部分から脱水汚泥を排出可能としたことを特徴とするロータリプレス脱水機であって、前記スクリーンディスクの外側面にその外周に沿って略円形の小ろ過水室を形成し、この小ろ過水室に減圧吸引手段を接続した請求項５に記載の圧搾脱水機。
【００１２】
さらに、第２発明は、前記渦巻き状ろ過室内に水分センサと圧力センサを配置するとともに、前記小ろ過水室に圧力センサを配置した形態や、前記スクリーンディスクにはバックアップディスクを添設し、このバックアップディスクの外周部分に回転駆動手段を設けて、スクリーンディスクとバックアップディスクを一体に回転可能とするとともに、前記小ろ過水室をバックアップディスクの外側に形成した形態に好ましく具体化される。
【発明の効果】
【００１３】
本発明のスクリュープレスタイプの第１発明では、そのドラムスクリーンの圧縮域のろ過水側を減圧可能としたので、圧縮域の圧縮圧に加算された圧力によって脱水が進むから脱水効果が向上するうえ、このろ過水側の減圧はろ過域の影響がないのでＳＳ回収に悪影響を及ぼさない利点が得られる。
【００１４】
また、第１発明では、ドラムスクリーンの圧搾域のろ過水側の箇所に小ろ過水室を形成して、そこに減圧吸引ポンプを接続した具体的な構造によって、圧縮域のろ過水側を減圧可能とすることができ、同時にドラムスクリーン内部に設けた水分センサと圧力センサおよび小ろ過水室内に設けた圧力センサによって、最大の脱水効果が得られるよう制御できるという効果が得られるのである。
【００１５】
また、ロータリプレスタイプの第２発明においても、そのクリーンディスクの圧縮域のろ過水側を減圧可能としたので、減圧圧力によって脱水が促進され脱水効果が向上するうえ、このろ過水側の減圧はろ過域の影響がないのでＳＳ回収に悪影響を及ぼさない利点は第１発明の場合と同様であり、また圧搾域に設けられる小ろ過水室に減圧吸引ポンプを接続し、前記渦巻き状ろ過室内に配置した水分センサと圧力センサ、および前記小ろ過水室に配置した圧力センサによって、最大の脱水効果が得られるよう制御できるという効果が得られるのも第１発明の場合と同様である。
【００１６】
このように、本発明によれば、ＳＳの回収を阻害することなく脱水効果が向上するので、難脱水汚泥を対象にしても、時間当たり処理量を約１．５倍に引き上げることが可能となる。あるいは、従来の脱水機で得られる脱水ケーキの含水率を８０ｗｔ％とすると、これを含水率７８ｗｔ％にまで低減することが可能となるなど、脱水性能を向上させることができるという優れた効果がある。よって本発明は、従来の問題点を解消した圧搾脱水機として、工業的価値はきわめて大なるものがある。
【発明を実施するための最良の形態】
【００１７】
次に、本発明の圧搾脱水機に係る実施形態について、図１〜図８を参照しながら説明する。
（第１発明「スクリュープレスタイプ」）
第１発明のスクリュープレスタイプの圧搾脱水機（以下、スクリュープレス脱水機という）に係る実施形態について、図１、図３を参照しながら説明する。
本発明のスクリュープレス脱水機は、無数のろ過孔を有するドラムスクリーン２の外周に設けられたろ過水室の部分を除き、図１に示したものと同様な構造の脱水機を前提としている。
【００１８】
すなわち、ドラムスクリーン２の軸心に、外周にスクリュー羽根３１を設けたスクリュー軸体３が回転自在に配設され、このスクリュー軸体３は、入口４１側から反対側の出口４２側に向けて拡径状のテーパ形状に形成され、その外周面にはスクリュー軸体３の回転に従い、凝集汚泥などを入口部側から出口部側に向けて移動可能としたスクリュー羽根３１が設けられていて、このスクリュー羽根３１によって凝集汚泥などを入口側から出口側に向けて移動させながら前記したようなろ過域から圧搾域の順に脱水するとともに、含有水を搾り取られた凝集汚泥は、脱水ケーキとして出口４２から順次排出されるようにしたスクリュープレス脱水機である。
【００１９】
そして本発明の好ましい形態は、前記ドラムスクリーン２の外側に沿って設けたろ過水室を軸心に直角に区画した隔壁５１によって複数の小ろ過水室５２、５３を形成し、そして少なくとも出口側の小ろ過水室５３に減圧吸引手段６を配設したものである。
【００２０】
この減圧吸引手段６として、図１では逆止弁６１、気液分離装置６２、排気ポンプ６３から構成されている例を示している。逆止弁６１は圧力の変動によるろ過水の逆流を防止するために、気液分離装置６２は小ろ過水室５３から排出されるろ過水を空気から分離するために、排気ポンプ６３は排気系統の空気を減圧して小ろ過水室５３内を安定に減圧するために設けられている。この減圧吸引手段６は、この形態に限定されず、例えばろ過水の噴射力を応用したアスピレータ装置で置換えたり、単純に真空ポンプで吸引するようにしてもよい。
【００２１】
本発明において、小ろ過水室５３を規定する隔壁５１の設定位置は、本発明の脱水機の脱水機構として先に説明したところの、入口４１側のろ過域と、出口４２側の圧搾域とを考慮して、この圧搾側に設けるべきである。さらに好ましくは前記減圧吸引手段６の減圧が入口４１側のろ過域に影響を与えない程度、出口４２に偏った位置に選定するのよい。
【００２２】
また、このような隔壁の位置調整を可能とするため、圧力調整が可能な小ろ過水室を複数区画以上に細分（図３では３区画の例が示してある）しておけば、対応が極めて容易となる。そして、このような区画に応じて、ドラムスクリーン２に沿って設けた水分センサｗ１、ｗ２、ｗ３と圧力センサＰ１、Ｐ２、Ｐ３によって、ドラムスクリーン内の脱水汚泥の含水率と加えられている圧力を検知するとともに、小ろ過水室５３１、５３２、５３３内に設けた圧力センサｐ１、ｐ２、ｐ３によって、それら小ろ過水室内のマイナス圧力を検知して、最大の脱水効果が得られるよう運転状態を制御できるという利点が得られるのである。
【００２３】
以上説明した第１発明の脱水機によれば、ドラムスクリーン２の圧搾域のろ過水側を減圧できるので、圧搾域の圧縮圧に小ろ過水室５３の減圧が加算され、総合ろ過圧は２〜３倍に増大するから、圧搾ろ過水のろ過速度も約２〜３倍に増加し、如上の通り、単位時間当たり処理量の増加や、脱水ケーキの含水率低減に著しく寄与するのである。
【００２４】
なお、この場合、ろ過域の脱水は小ろ過水室５２で受けて、従来通り排水されるのであるが、小ろ過水室５３の減圧効果は、この小ろ過水室５２には及ばないので、ＳＳが異常に流出することはない。また、この小ろ過水室５２には、小ろ過水室５３の場合と同様に減圧吸引手段６を配設して、脱水効果を高めてもよいが、この場合には、ＳＳが異常に流出しない範囲内に調整すべきである。
【００２５】
なお、第１発明においては、ドラムスクリーン２の圧搾域のろ過水側を減圧可能する場合、ＳＳ回収効果が低下しないよう、その減圧効果がろ過域に及ばない位置において減圧するように配慮するのが好ましいのは言うまでもないことである。
【００２６】
（第２発明「ロータリプレス」）
第２発明のロータリプレスタイプの圧搾脱水機（以下、ロータリプレス脱水機という）に係る実施形態について、図４〜図８を参照しながら説明する。
先ず、本第２発明のロータリプレス脱水機の基本的構造とその機能について説明すると、その全体像を例示する図４において、一定の厚さの外側スペーサ１２０で囲まれた略円形の空間１２１には、渦巻き状に形成された帯板状の内側スペーサ１３０の外周端部を外側スペーサ１２０の内面に固定して、その空間１２１を渦巻き状に区画していて、その外側スペーサ１２０と内側スペーサ１３０とで囲まれた渦巻き状空間を両側から挟んだ状態で、円板状ろ過部材からなる２枚のスクリーンディスク１４０ａ、１４０ｂを渦巻き方向に回転自在に配設して、その渦巻き状空間は渦巻き状ろ過室１３１として形成されている。
【００２７】
そして、スクリーンディスク１４０ａ、１４０ｂは、例えばパンチングメタル篩分ろ過部材を円板状に形成し外周をフランジでリング状に囲ったものが用いられる。なお、前記渦巻き状ろ過室１３１には、脱水汚泥などの含水処理物を装置外から供給するための供給パイプ１２０ａが、スクリーンディスク１４０ａ、１４０ｂの軸心を貫通（同じに後記するバックアップディスク１５０ａ、１５０ｂも貫通している）して配置され、ろ過室１３１の中心部に先端を開口している（図７を参照）。また、その渦巻き状ろ過室１３１の外周末端は、外側スペーサ１２０を貫通した排出通路１７０を経て排出口１７１に連通している（図５、６参照）。
【００２８】
この排出通路１７０は、図５、６に示すように、外側スペーサ１２０の末端部１２２、１２２と、その部位に対応する後記のサイドケース１８０ａ、１８０ｂの末端部１８２ａ、１８２ｂによって囲まれて形成されるが、排出口１７１の側方には排出通路１７０に沿って、排出調節側板１７２が嵌め合うように取り付けられ、この排出調節側板１７２は、排出口１７１の開閉幅を調節するよう駆動手段（図示せず）を備えていて、内部に充満する脱水汚泥などの内部圧力を調節するため、開閉制御可能に設定されている。
【００２９】
このように渦巻き状ろ過室１３１は、その両側から挟んだ状態で、スクリーンディスク１４０ａ、１４０ｂがシールリング１４１、１４１を介して密接して配置されるが、この実施形態では、その両背後にはバックアップディスク１５０ａ、１５０ｂをシールリング１５１、１５１を介して一体に添設してある（図４、７参照）。なお、この事例では、このバックアップディスク１５０ａ、１５０ｂは、板面に多数の排水孔が設けた金属円板であって、スクリーンディスク１４０ａ、１４０ｂを通過したろ過水を板外に排水可能に形成され、また、その外周にはギヤ歯型が形成してあって、その外周３箇所に配置された駆動歯車１６０ａ、１６０ｂによって駆動され、回転可能に設定されている。
【００３０】
さらに図４に示すように、スクリーンディスク１４０ａ、１４０ｂとバックアップディスク１５０ａ、１５０ｂとは、外側スペーサ１２０を中心にして両側のサイドケース１８０ａ、１８０ｂによってカバーされていて、それぞれの３個からなる駆動歯車１６０ａ、１６０ｂは、このサイドケース１８０ａ、１８０ｂと外側スペーサ１３０とによって回転可能に軸支されている。そして、外部に設けた駆動装置（図示せず）によって駆動歯車１６０ａ、１６０ｂを介して、一体となっているスクリーンディスク１４０ａ、１４０ｂとバックアップディスク１５０ａ、１５０ｂを回転させるのである。この場合、供給パイプ１２０ａは回転中心軸体を兼ねるよう構成してもよい。
【００３１】
次に、この基本構造からなるロータリプレス脱水機に機能を説明すると、この渦巻き状ろ過室１３１の中心部分に供給パイプ１２０ａ経由で凝集汚泥などの含水処理物を圧送するとともに、このスクリーンディスク１４０ａ、１４０ｂを毎分０．１〜１．５回程度にゆっくりと回転させれば、含水処理物は、渦巻き状ろ過室１３１に充満する。この場合、排出調節側板１７２を調節して排出口１７１の開口の大きさを加減し、内圧を適宜に高めることによって、含水処理物の含有水をスクリーンディスク１４０ａ、１４０ｂ、バックアップディスク１５０ａ、１５０ｂを通じてろ過水として外側に抜き出し、排水口１８１から排水できるのである。
【００３２】
一方、前記ろ過室１３１に充満し、上記のように脱水された処理物は、スクリーンディスク１４０ａ、１４０ｂ、バックアップディスク１５０ａ、１５０ｂの回転によって、外周の末端方向に誘導され、排出通路１７０を経て排出口１７１から排出されるのである。かくして、例えば含水率８０ｗｔ％程度の難脱水性凝集汚泥は、７８ｗｔ％程度まで脱水されることになる。
【００３３】
このように、この基本構造からなるロータリプレス脱水機は、ろ過室１３１を渦巻き状に形成しているので、従来のロータリプレス脱水機に比較してろ過室の長さとろ過面積を約１．５倍大きくでき、脱水効率や処理能力の向上に大きく寄与できる。また、設置面積をコンパクト化できる、汚泥の供給口と排出口との間隔を長くとれるのでショートカットを抑制できる、などの特長を有するのである。
【００３４】
次いで、本第２発明の最も特徴とする構成を説明する。
このロータリプレス脱水機においても、回転するスクリーンディスク１４０ａ、１４０ｂで挟まれて形成される渦巻き状ろ過室１３１の入口側から出口側に向けて、含水処理物を移動させながらろ過域から圧搾域の順に脱水するのは第１発明と同様であり、このロータリプレス脱水機の基本構造を前提として、前記スクリーンディスク１４０ａ、１４０ｂの外側面にその外周に沿って略円形の小ろ過水室１５３ａ、１５３ｂを形成し、この小ろ過水室１５３ａ、１５３ｂに減圧吸引手段（図示せず）を接続することによって、そのスクリーンディスク１４０ａ、１４０ｂの圧縮域のろ過水側を減圧可能とした点に特徴がある。
【００３５】
その具体的構造を図７、図８によって説明すると、前記スクリーンディスク１４０ａ、１４０ｂの外側面にその外周に沿って形成される略円形の小ろ過水室１５３ａ、１５３ｂは、その幅員ｄは、渦巻き状ろ過室１３１の外周に位置する部分をカバーするように設定する。かくして、渦巻き状ろ過室１３１の圧搾域に相当する部分からろ過水を受け入れることができる。
【００３６】
このスクリーンディスク１４０ａ側の小ろ過水室１５３ａは、連絡流路１５４ａを介して、供給パイプ１２０ａに沿って設けられた排水吸気部１５５ａに接続され、この排水吸気部１５５ａの末端は、シール部１５６ａによってサイドケース１８０ａの内側側面に、供給パイプ１２０ａの端部のシール部１５６ａとともに封止状態で回転可能に取り付けられている。
【００３７】
そして、サイドケース１８０ａの外側側面には前記供給パイプ１２０ａの端部に通じる外側供給パイプ１２１ａと、前記排水吸気部１５５ａの末端に通じる外側排水吸気パイプ１５７ａが設けられ、この外側排水吸気パイプ１５７ａの端部には適宜な減圧吸引手段（図示せず）が接続される。また、外側供給パイプ１２１ａの部分には、含水処理物の圧力と含水率を検出するための圧力センサｐ５ａ、水分センサｗ５ａが配置され、外側排水吸気パイプ１５７ａの部分には小ろ過水室１５３ａの減圧圧力を検出するための圧力センサｐ６ａが配置されている。
【００３８】
また、反対側のスクリーンディスク１４０ｂ側においては、スクリーンディスク１４０ａ側にあるような供給パイプ１２０ａが不要なので、この部分が省略されるものの、小ろ過水室１５３ｂから排水吸気部１５５ｂを経て、外側排水吸気パイプ１５７ｂへと導かれるよう構成され、シール部１５６ｂによって封止状態で回転可能とされている。そして外側排水吸気パイプ１５７ｂの部分には、小ろ過水室１５３ｂの減圧圧力を検出するための圧力センサｐ６ｂが配置されている。
【００３９】
かくして、前記したように含水処理物を供給し、スクリーンディスク１４０ａ、１４０ｂを回転させて含水処理物の含有水をスクリーンディスク１４０ａ、１４０ｂ、バックアップディスク１５０ａ、１５０ｂを通じてろ過水として外側に抜き出すに当たって、減圧にした小ろ過水室１５３ａ、１５３ｂの部分において、渦巻き状ろ過室１３１の圧搾域に相当する部分から大きな差圧によってろ過水を受け入れることができる。そして、このろ過水は、小ろ過水室１５３ａ、１５３ｂから排水吸気部１５５ａ、１５５ｂを経て、外側排水吸気パイプ１５７ａ、１５７ｂへと導かれ、外部に排出されるのである。なお、渦巻き状ろ過室１３１の中央部分から排出されるろ過水は前記の通り、排水口１８１から排水される点はなんら変わりはない。
【００４０】
このような第２発明において、必要に応じて図５に示す前記渦巻き状ろ過室１３１内のＡ（圧搾域の初期部分）、Ｂの箇所に水分センサや圧力センサを配置し、これらセンサと前記した外側供給パイプ１２１ａの前記圧力センサｐ５ａ、水分センサｗ５ａ、および外側排水吸気パイプ１５７ａ、１５７ｂの前記圧力センサｐ６ａ、ｐ６ｂなどによって、渦巻き状ろ過室１３１内の脱水処理物の含水率と加えられている圧力を検知するとともに、小ろ過水室１５３ａ、１５３ｂ内のマイナス圧力を検知して、最大の脱水効果が得られるよう運転状態を制御できるという利点が得られるのである。
【００４１】
以上説明した第２発明の脱水機によれば、スクリーンディスク１４０の圧搾域のろ過水側を減圧できるので、圧搾域の圧縮圧に小ろ過水室の減圧が加算され、総合ろ過圧は２〜３倍に増大するから、圧搾ろ過水のろ過速度も約２〜３倍に増加し、第１発明の場合と同様に、単位時間当たり処理量の増加や、脱水ケーキの含水率低減に著しく寄与するのである。
【００４２】
なお、以上の説明では、スクリーンディスク１４０ａ、１４０ｂにはバックアップディスク１５０ａ、１５０ｂを添設し、これを一体に回転可能とした形態で、また前記バックアップディスク１５０ａ、１５０ｂの外周部分に回転駆動手段を設けた形態で解説したが、本発明はこの形態に限定されないものである。
【００４３】
また本発明では、前記渦巻き状に形成した内側スペーサ１３０の両側に、前記スクリーンディスク１４０ａ、１４０ｂに堆積した脱水汚泥を掻き取る細長板状のスクレーパ１３２を固定して配設すると、前記スクリーンディスク１４０ａ、１４０ｂの目詰まり防止と渦巻き状の内側スペーサ１３０自体の強度補強が図られて好ましい。
【００４４】
また、前記スクリーンディスク１４０ａ、１４０ｂと外側スペーサ１２０との間のシールリング１４１、１４１を低摩擦抵抗性樹脂、例えばフッ素樹脂からなるものとし、ばね材（図示せず）により押し圧状態に保持するよう構成すると、磨耗が抑制され、かつ磨耗しても隙間が生じないから内容が漏れないという利点が得られる。
【図面の簡単な説明】
【００４５】
【図１】第１発明のスクリュープレス脱水機を説明するための部分切り欠き内部側面略図。
【図２】従来のスクリュープレス脱水機を示す部分切り欠き内部側面略図。
【図３】第１発明の他の形態を説明するための部分切り欠き内部側面略図。
【図４】第２発明のロータリプレス脱水機の基本構造を説明するための構成部材の展開斜視図。
【図５】第２発明の内外スぺーサを中心とした展開斜視図。
【図６】第２発明の排出口近傍を示す一部切り欠き斜視図。
【図７】第２発明の特徴的構造部分を説明するための要部断面の端面図。
【図８】図７におけるａ−ａ断面の端面図。
【符号の説明】
【００４６】
２：ドラムスクリーン
３：スクリュー軸体  ３１：スクリュー羽根
４１：入口  ４２：出口
５１：隔壁  ５２：小ろ過水室  ５３：小ろ過水室
６：減圧吸引手段  ６１：逆止弁  ６２：気液分離装置  ６３：排気ポンプ
【図１】
2005095973.tif 000003
【図２】
2005095973.tif 000004
【図３】
2005095973.tif 000005
【図４】
2005095973.tif 000006
【図５】
2005095973.tif 000007
【図６】
2005095973.tif 000008
【図７】
2005095973.tif 000009
【図８】
2005095973.tif 000010